(57)【要約】【課題】閉塞物を容器から内容物を外部に噴出させることなく安全に除去し、またノズルの導通を大掛かりな装置を必要とせず、容易に確認できるという優れた特徴を有するノズル閉塞物の除去装置及び除去方法を提供する。【解決手段】下記の手段を有する圧力容器又は配管に設置されたノズル内の閉塞物の除去装置。（Ａ）：圧力流体注入手段：圧力流体をノズルに注入し、閉塞物を圧力容器又は配管へ押し込む手段（Ｂ）：ノズルの導通確認手段：（Ａ）によるノズルの導通確認をセンサーにて行う手段具体的には、圧力容器又は配管が化学プラントに設置されており、ノズルが計測機器の取付けノズルであり、ノズルが圧力計の取付けノズルであり、圧力流体が不活性ガスであり、センサーが振動計又は圧力計である装置を例示できる。【選択図】　　　図１
2004033905.tif 000002
【特許請求の範囲】
【請求項１】
下記の手段を有する圧力容器又は配管に設置されたノズル閉塞物の除去装置。
（Ａ）：圧力流体注入手段：圧力流体をノズルに注入し、閉塞物を圧力容器又は配管へ押し込む手段
（Ｂ）：ノズルの導通確認手段：（Ａ）によるノズルの導通確認をセンサーにて行う手段
【請求項２】
圧力容器又は配管が化学プラントに設置されている請求項１記載の装置。
【請求項３】
ノズルが計測機器の取付けノズルである請求項１記載の装置。
【請求項４】
ノズルが圧力計の取付けノズルである請求項１記載の装置。
【請求項５】
圧力流体が不活性ガスである請求項１記載の装置。
【請求項６】
センサーが振動計である請求項１記載の装置。
【請求項７】
センサーが圧力計である請求項１記載の装置。
【請求項８】
請求項１〜７のうちの一の請求項に記載の除去装置を用い、ノズルの外部側から圧力容器側又は配管側へ圧力流体を注入することにより閉塞物を圧力容器内又は配管内へ押し込んで除去するノズル閉塞物の除去方法。
【発明の詳細な説明】
【０００１】
【発明の属する技術分野】
本発明は、ノズル閉塞物（以下、単に「閉塞物」と記すことがある。）の除去装置及び該除去装置を用いた閉塞物の除去方法に関するものである。更に詳しくは、本発明は、閉塞物を圧力容器又は配管（以下、単に「容器」と記すことがある。）の内容物を外部に噴出させることなく安全に除去し、またノズルの導通を大掛かりな装置を必要とせず、容易に確認できるという優れた特徴を有する閉塞物の除去装置及び該除去装置を用いた閉塞物の除去方法に関するものである。
【０００２】
【従来の技術】
容器に設置されたノズル内の閉塞物を外部から棒等を用いて突っつくことによる除去方法は一般に知られている。しかしながら、従来の方法においては、閉塞物の除去とともに外部に容器の内容物が噴出することによる危険を生じる問題があった。
【０００３】
【発明が解決しようとする課題】
かかる状況において、本発明が解決しようとする課題は、閉塞物を容器から内容物を外部に噴出させることなく安全に除去し、またノズルの導通を大掛かりな装置を必要とせず、容易に確認できるという優れた特徴を有するノズル閉塞物の除去装置及び除去方法を提供する点にある。
【０００４】
【課題を解決するための手段】
すなわち、本発明のうち、一の発明は、下記の手段を有する圧力容器又は配管に設置されたノズル閉塞物の除去装置に係るものである。
（Ａ）：圧力流体注入手段：圧力流体をノズルに注入し、閉塞物を圧力容器又は配管へ押し込む手段
（Ｂ）：ノズルの導通確認手段：（Ａ）によるノズルの導通確認をセンサーにて行う手段
また、本発明のうち、他の発明は、上記の除去装置を用い、ノズルの外部側から圧力容器側又は配管側へ圧力流体を注入することにより閉塞物を圧力容器内又は配管内へ押し込んで除去するノズル閉塞物の除去方法に係るものである。
【０００５】
【発明の実施の形態】
圧力容器又は配管は、大気圧を超える圧力で運転しているものを言う。ノズルは、圧力容器又は配管に設置された管状のものを言う。
【０００６】
閉塞物は固体である。
【０００７】
本発明の除去装置は、（Ａ）圧力流体をノズルに注入し、閉塞物を容器へ押し込む手段を有する。この手段は、要するに圧力流体を閉塞物とともに容器へ押し込む手段であり、圧力流体の圧力は、容器の圧力より高くなければならない。なお、圧力流体の圧力が容器の圧力以下の場合は、閉塞物を容器内へ押し込めない。
【０００８】
本発明の除去装置は、（Ｂ）ノズルの導通確認をセンサーにて行う手段を有する。上記の（Ａ）による閉塞物の除去を容器の内容物を外部に出すことなく確認するため、センサーが設けられている。なお、センサーを設けない場合、ノズルの導通確認は、容器の内容物を外部へ出すことを除きできない。
【０００９】
本発明は、ノズルの外部側から容器側へ圧力流体を注入することで閉塞物を容器内へ押し込んで除去するものであり、圧力流体の圧力は、容器の圧力より高くなければならない。なお、圧力流体の圧力が容器の圧力以下の場合は、閉塞物を容器内へ押し込めない。
【００１０】
本発明の除去装置は、上記の（Ａ）及び（Ｂ）の手段を有する閉塞物の除去装置である。圧力容器又は配管としては、特に制限はないが、化学プラントに設置されているものに適用できる。ノズルとしては、特に制限はないが、計測機器を取付けたものに適用でき、計測機器には圧力計等がある。圧力流体としては、特に制限はないが、不活性ガスを使用してもよい。センサーとしては、特に制限はないが、音響センサー、温度計、サイトグラス等があり、好ましくは圧力計が用いられ、より好ましくは振動計が用いられる。
【００１１】
本発明における圧力容器又は配管は、特に制限はないが、化学プラントに設置されているものに適用できる。ノズルとしては、特に制限はないが、計測機器を取付けたものに適用でき、計測機器には圧力計等がある。圧力流体としては、特に制限はないが、不活性ガスを使用してもよい。
【００１２】
【実施例】
実施例１
化学プラントに設置された蒸留塔（１）により、本発明を実施した（図１参照。）。圧力１２００ｋＰａＧで運転している蒸留塔において、圧力計取付けノズル（６）の取出し部（７）が閉塞したため、圧力計（５）による圧力検知ができなくなった。窒素ガスをボンベ（１０）から減圧弁（１２）及び金属チューブ（１５）を介し、圧力計取付けノズルに注入した。窒素ボンベの圧力は１５０００ｋＰａＧであり、窒素ガス注入に際しては、減圧弁にて１５００ｋＰａＧに調整した。窒素ガス注入直後、減圧弁下流圧力計（１４）の指示は１５００ｋＰａＧであったが、すぐに蒸留塔の運転圧力１２００ｋＰａＧまで下がったため、閉塞物が蒸留塔に押し込まれたと判断した。その後、ボンベ元弁（１１）とノズルの脱圧弁（９）を閉め、圧力計の指示が正常になっていることを確認した。
【００１３】
比較例１
実施例１において、本発明の装置を用いることなく、ノズルの脱圧弁を開け、棒を用いて突っついたところ、閉塞物とともに蒸留塔内容物が外部へ噴き出した。
【００１４】
【発明の効果】
以上説明したとおり、本発明により、閉塞物を容器から内容物を外部に噴出させることなく安全に除去し、またノズルの導通を大掛かりな装置を必要とせず、容易に確認できるという優れた特徴を有するノズル閉塞物の除去装置及び除去方法を提供することができた。
【図面の簡単な説明】
【図１】実施例１で用いた蒸留塔および除去装置の概略説明図である。
【符号の説明】
１　蒸留塔
２　原料
３　塔頂流体
４　塔底流体
５　圧力計
６　圧力計の取付けノズル
７　圧力計ノズルの取出し部（閉塞箇所）
８　圧力計の取付け弁
９　ノズルの脱圧弁
１０　窒素ボンベ
１１　ボンベ元弁
１２　減圧弁
１３　減圧弁上流圧力計
１４　減圧弁下流圧力計
１５　金属チューブ
１６　金属チューブ接続部
【図１】
2004033905.tif 000003